(57)【要約】【課題】本発明は、複数の発電機を用いて発電すると共に発電機の発電に際し発生する反作用も利用して効率的に発電することができる反作用利用型発電装置を提供する。【解決手段】反作用利用型発電装置１０の回転体支持シャフト２０は回転体２８を回転可能に支持している。回転体２８には発電機４８Ａ，４８Ｂ，４８Ｃ，４８Ｄとギヤ装置６４がセットで配設されている。回転体支持シャフト２０に回転可能に設けられたスプロケット取付パイプ７４には発電機４８Ａ，４８Ｂ，４８Ｃ，４８Ｄの発電機シャフト５２の回転力が作用する伝動反作用利用スプロケット８４が設けられている。この反作用利用スプロケット８４は電力消費装置８９が接続された反作用利用発電機９０と反作用回転チェーン８８を介して接続されている。【選択図】図１
2020010530.tif 000002
【特許請求の範囲】
【請求項１】
少なくとも１以上の発電装置本体を備えてなる反作用利用型発電装置であって、
前記発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
前記反作用回転スプロケットの回転で発電する反作用利用発電機と、この反作用利用発電機に接続された負荷手段と、前記回転体を回転させる始動装置と、を有してなることを特徴とする反作用利用型発電装置。
【請求項２】
第１の発電装置本体と、この第１の発電装置本体の隣に水平方向反転して設置された第２の発電装置本体と、を備えてなる反作用利用型発電装置であって、
前記第１の発電装置本体及び前記第２の発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
前記反作用回転スプロケットの回転で発電する反作用利用発電機と、この反作用利用発電機に接続された負荷手段と、前記第１の発電装置本体の回転体を回転させる始動装置と、前記第１の発電装置本体と前記第２の発電装置本体の間に配設されると共に第２発電装置本体の回転体を回転させる接続用始動手段と、を有してなることを特徴とする反作用利用型発電装置。
【請求項３】
前記反作用回転スプロケットと反作用利用発電機の間に増速機を配設したことを特徴とする請求項１、請求項２のいずれか１項記載の反作用利用型発電装置。
【請求項４】
少なくとも１以上の発電装置本体を備えてなる反作用利用型発電装置であって、
前記発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
回転方向反転機と、この回転方向反転機に設けられた回転方向反転機第１スプロケットと、前記回転方向反転機に設けられると共に前記回転方向反転機第１スプロケットと逆方向に回転する回転方向反転機第２スプロケットと、前記回転体の回転方向と逆方向に回転可能に支持されると共に前記回転体と当接して回転体の回転をサポートする回転サポート体と、前記回転体を回転させる始動装置と、を有してなることを特徴とする反作用利用型発電装置。
【請求項５】
前記発電機をアウターローターコアレス発電機で形成したことを特徴とする請求項１、請求項２、請求項３、請求項４のいずれか１項記載の反作用利用型発電装置。
【発明の詳細な説明】
【技術分野】
【０００１】
本発明は、発電装置に関し、より詳しくは発電機の反作用を利用することにより発電効率が極めて高い反作用利用型発電装置に関する。
【背景技術】
【０００２】
現代社会においては毎日膨大な電力が消費されているが、ほとんどの電気は電力会社の火力発電所をはじめとする各種発電所で石油等をはじめとする化石燃料等の天然資源を燃やして発電し、供給されている。
このため、火力発電所では膨大な量の石油等の天然資源を消費とすると共に前記天然資源を消費することにより二酸化炭素等の有害物質が発生し、公害問題の原因ともなっている。
そこで、近年、環境汚染、公害問題の心配が少なく、安全性の高い風力発電装置や太陽光発電装置等が注目を集めると共に提案されている。
しかしながら前記風力発電装置においては発電するためには一定以上の風力が必要であるため風力が弱い場合や無風状態の場合は発電することができない。また、風力発電では風を受けたプロペラが回転することにより発電させるが、前記プロペラの回転により発生する低周波音が近隣住民の健康問題を引き起こす場合があるという課題がある。
また、太陽光発電においては発電させるためには一定以上の太陽光が必要になる。このため、雨天、曇天の日や夜間等のように一定以上の太陽光を得ることができない場合は発電することはできないという課題がある。
そこで、本願の発明者は前記風力発電や太陽光発電のように自然環境に影響を受けないで効率よく安定して発電できる高効率発電装置を提案した（例えば特許文献１）。
【先行技術文献】
【特許文献】
【０００３】
【特許文献１】特許第６０８５０４３号公報
【発明の概要】
【発明が解決しようとする課題】
【０００４】
この高効率発電装置は、単数の始動装置で複数の発電機を用いて発電できるので効率よく発電することができる。
しかし、前記高効率発電装置は、複数の発電機の発電の際に生じる反作用を利用するものではなかった。
【０００５】
本発明は、上記事実に鑑みなされたものであり、複数の発電機を用いて発電すると共に複数の発電機に発生する反作用も利用して発電できる極めて効率的な反作用利用型発電装置を提供するものである。
【課題を解決するための手段】
【０００６】
本発明は、上記の如き実情に鑑みこれらの課題を解決することを目的として創作されたものであり、
請求項１の発明は、少なくとも１以上の発電装置本体を備えてなる反作用利用型発電装置であって、
前記発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
前記反作用回転スプロケットの回転で発電する反作用利用発電機と、この反作用利用発電機に接続された負荷手段と、前記回転体を回転させる始動装置と、を有してなることを特徴としている。
請求項２の発明は、第１の発電装置本体と、この第１の発電装置本体の隣に水平方向反転して設置された第２の発電装置本体と、を備えてなる反作用利用型発電装置であって、
前記第１の発電装置本体及び前記第２の発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
前記反作用回転スプロケットの回転で発電する反作用利用発電機と、この反作用利用発電機に接続された負荷手段と、前記第１の発電装置本体の回転体を回転させる始動装置と、前記第１の発電装置本体と前記第２の発電装置本体の間に配設されると共に第２発電装置本体の回転体を回転させる接続用始動手段と、を有してなることを特徴としている。
請求項３の発明は、前記反作用回転スプロケットと反作用利用発電機の間に増速機を配設したことを特徴としている。
請求項４の発明は、少なくとも１以上の発電装置本体を備えてなる反作用利用型発電装置であって、
前記発電装置本体は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトに回転可能に取り付けられた回転体と、この回転体に取り付けられた複数の発電機と、この発電機の固定子に取り付けられた少なくとも１以上の発電機スプロケットと、前記回転体に前記発電機とセットになって設けられると共に前記発電機の回転子を回転させることができるギヤ装置と、前記回転体支持シャフトに取り付けられると共に回転体支持シャフトと関係しないで回転可能なスプロケット取付パイプと、このスプロケット取付パイプに固定して取り付けられた少なくとも１以上の伝動スプロケットと、前記スプロケット取付パイプに固定して取り付けられた反作用回転スプロケットと、を備え、
回転方向反転機と、この回転方向反転機に設けられた回転方向反転機第１スプロケットと、前記回転方向反転機に設けられると共に前記回転方向反転機第１スプロケットと逆方向に回転する回転方向反転機第２スプロケットと、前記回転体の回転方向と逆方向に回転可能に支持されると共に前記回転体と当接して回転体の回転をサポートする回転サポート体と、前記回転体を回転させる始動装置と、を有してなることを特徴としている。
請求項５の発明は、前記発電機をアウターローターコアレス発電機で形成したことを特徴としている。
【発明の効果】
【０００７】
請求項１〜請求項３の発明は、単数の始動装置で複数の発電機を作動させて発電することができると共に前記複数の発電機に生じた反作用を利用して反作用利用発電機を発電することができるので、発電量を多くすることができると共に極めて効率よく発電を行うことができるという優れた効果を有する。
請求項４の発明は、単数の始動装置で複数の発電機を作動させて発電することができると共に前記複数の発電機に生じた反作用を利用して発電効率を高めることができるという優れた効果を有する。
【図面の簡単な説明】
【０００８】
【図１】第１実施例の反作用利用型発電装置の正面図である。
【図２】第１実施例の反作用利用型発電装置の側面図である。
【図３】第１実施例の反作用利用型発電装置の平面図である。
【図４】第１実施例の反作用利用型発電装置の一部拡大斜視図である。
【図５】第１実施例の反作用利用型発電装置の発電機の概略縦断面である。
【図６】第１実施例の反作用利用型発電装置の発電機スプロケットと伝動第１スプロケット、伝動第２スプロケットと伝動チェーンの関連と反作用利用発電機と負荷手段の関係を示す模式図である。
【図７】第１実施例の反作用利用型発電装置の一部拡大縦断面図である。
【図８】第２実施例の反作用利用型発電装置の正面図である。
【図９】第２実施例の反作用利用型発電装置の側面図である。
【図１０】第２実施例の反作用利用型発電装置の平面図である。
【図１１】第３実施例の反作用利用型発電装置の一部を断面した正面図である。
【図１２】第３実施例の反作用利用型発電装置の側面図である。
【図１３】第３実施例の反作用利用型発電装置の一部を断面した平面図である。
【発明を実施するための形態】
【０００９】
発明を実施するために最良の形態の例として以下のような実施例を示す。
【実施例１】
【００１０】
図１〜図７には本発明に係る反作用利用型発電装置の第１実施例が示されている。
【００１１】
図１に示されるように、第１実施例の反作用利用型発電装置１０は、ベースプレート１１と、このベースプレート１１に設置された単数の発電装置本体１２と、を備えている。
【００１２】
図３に示されるように、前記ベースプレート１１は平面視矩形状に形成され、ベースプレート１１の一端部には回転体第１支持体としての回転体第１支持フレーム１４が立設され、他端部には回転体第２支持体としての回転体第２支持フレーム１６が立設されている。この回転体第１支持フレーム１４と回転体第２支持フレーム１６は互いに対向して立設されている。
【００１３】
前記回転体第１支持フレーム１４の第１支持フレーム上端板部１４Ａと回転体第２支持フレーム１６の第２支持フレーム上端板部１６Ａにはそれぞれピローユニット１８，１８が同心状に対向してそれぞれ固定されている。
【００１４】
図２に示されるように、前記回転体第１支持フレーム１４の第１支持フレーム上端板部１４Ａは第１支持フレーム第１支柱１４Ｂと第１支持フレーム第２支柱１４Ｃによって支持されている。
また、前記回転体第２支持フレーム１６の第２支持フレーム上端板部１６Ａは第２支持フレーム第１支柱１６Ｂと第２支持フレーム第２支柱１６Ｃによって支持されている（なお、図２には回転体第２支持フレーム１６は図示せず）。
【００１５】
図１に示されるように、前記第１支持フレーム上端板部１４Ａと前記第２支持フレーム上端板部１６Ａの上方には反作用利用型発電装置１０の左右方向（図１左右方向）に向かって回転体支持シャフト２０が配設されている。
【００１６】
この回転体支持シャフト２０の一端部と他端部はそれぞれ前記ピローユニット１８，１８に回転可能に挿通され、回転体支持シャフト２０は回転可能となっている。
【００１７】
前記回転体支持シャフト２０の内部にはシャフトの長手方向（図１左右方向）に向かって空洞部（図示せず）が形成されている。
この空洞部には４本の電気リード線２２の中間部が挿通されるようになっている。
【００１８】
また、前記回転体支持シャフト２０の他端部には第１スリップリング２４が取り付けられている。この第１スリップリング２４には４本の電気リード線２２の中間部が挿通されるようになっている。
【００１９】
前記回転体支持シャフト２０の中間部には回転体取付パイプ２６が外装された状態で回転体支持シャフト２０と固定され、回転体支持シャフト２０と一緒に回転するようになっている。
【００２０】
前記回転体取付パイプ２６には回転体２８が固定された状態で取り付けられている。
従って、前記回転体支持シャフト２０が回転すると回転体支持シャフト２０を中心にして回転体２８も一緒に回転するようになっている。
なお、この実施例では前記回転体２８は図２時計回り方向（図２矢印Ａ方向）に回転するように設定されている。
【００２１】
図４に示されるように、前記回転体取付パイプ２６の一側部には円板状の回転体第１固定板３０が、他側部には円板状の回転体第２固定板３２が、それぞれ固定されて取り付けられている。
【００２２】
前記回転体第１固定板３０には長尺状の発電機第１支持片３４が放射状方向に向かって９０°間隔で４本取り付けられている。
また、前記回転体第２固定板３２には長尺状の発電機第２支持片３６が放射状方向に向かって９０°間隔で４本取り付けられている。
【００２３】
前記４本の発電機第１支持片３４と前記４本の発電機第２支持片３６は互いに対向して設けられている。
なお、前記電機第１支持片３４と前記４本の発電機第２支持片３６は、共に基端部側が幅狭で、先端部側が幅広に形成されている。
【００２４】
図１〜図３に示されるように、前記４本の発電機第１支持片３４の先端面には回転体２８を構成する側面視リング状の回転体第１リング板４０が適宜固定手段で設けられ、前記４本の発電機第２支持片３６の先端面には回転体を構成する側面視リング状の回転体第２リング板４２（図２には図示せず）が適宜固定手段で設けられている。
この回転体第１リング板４０と回転体第２リング板４２は同心状で互いに対向して設けられている。
【００２５】
図１及び図３に示されるように、回転体第１リング板４０と回転体第２リング板４２の間には間隔保持棒４４が設けられている。
【００２６】
図２に示されるように、前記４本の発電機第１支持片３４と前記４本の発電機第２支持片３６を互いに対向して設けることにより、発電機第１支持片３４と発電機第２支持片３６の間には第１発電機配設部４６Ａ，第２発電機配設部４６Ｂ，第３発電機配設部４６Ｃ，第４発電機配設部４６Ｄが等間隔で形成されている。
【００２７】
第１発電機配設部４６Ａには発電機４８Ａが配設され、第２発電機配設部４６Ｂには発電機４８Ｂが配設され、第３発電機配設部４６Ｃには発電機４８Ｃが配設され、第４発電機配設部４６Ｄには発電機４８Ｄが配設されている。
【００２８】
これら発電機４８Ａ，発電機４８Ｂ，発電機４８Ｃ，発電機４８Ｄにはそれぞれ前記電気リード線２２の基端部が接続されている。
【００２９】
なお、この実施例では前記発電機４８Ａ，発電機４８Ｂ，発電機４８Ｃ，発電機４８Ｄは、同一の発電機で、株式会社スカイ電子の製品番号ＳＫＹ−ＨＲ２００のアウターローターコアレス発電機が使用され、回転円盤部が回転しない発電機シャフトを中心に回転することにより発電が行われる発電機である。
【００３０】
図５に示されるように、前記発電機４８Ａ，４８Ｂ，４８Ｃ，４８Ｄの回転子としての回転円盤部５０には固定子としての発電機シャフト５２が挿通されている。
【００３１】
図１に示されるように、この発電機シャフト５２は前記発電機第１支持片３４に固定された軸受ユニット５４と発電機第２支持片３６に固定された軸受ユニット５４にそれぞれ回転可能に支持されている。
【００３２】
前記発電機シャフト５２の中間部には発電機第１歯車としての発電機小歯車５６が取り付けられている。この発電機小歯車５６は前記発電機４８Ａ，４８Ｂ，４８Ｃ，４８Ｄの回転円盤部５０と連結されており、回転円盤部５０と一緒に回転するようになっている。
【００３３】
また、前記発電機シャフト５２の中間部には発電機第２歯車としての発電機大歯車５８が取り付けられている。この発電機大歯車５８は発電機シャフト５２と固定されている。
【００３４】
図６に示されるように、前記発電機４８Ａの発電機シャフト５２の一端部で回転体２８の一側部側には第１発電機スプロケット６０Ａが取り付けられている。
【００３５】
前記発電機４８Ｂの発電機シャフト５２の一端部で回転体２８の一側部側には第１発電機スプロケット６０Ａと第２発電機スプロケット６０Ｂが取り付けられている。
【００３６】
前記発電機４８Ｃの発電機シャフト５２の一端部で回転体２８の一側部側には第１発電機スプロケット６０Ａが取り付けられている。
【００３７】
前記発電機４８Ｄの発電機シャフト５２の一端部で回転体２８の一側部側には第１発電機スプロケット６０Ａと第２発電機スプロケット６０Ｂが取り付けられている。
【００３８】
図１及び図３に示されるように、前記発電機４８Ａ，４８Ｂ，４８Ｃ，４８Ｄの発電機シャフト５２の他端部で回転体２８の他側部側にはそれぞれ第２スリップリング６２が取り付けられている。
【００３９】
これら第２スリップリング６２には前記発電機４８Ａ，４８Ｂ，４８Ｃ，４８Ｄに基端部が接続された電気リード線２２の中間部が挿通するようになっている。
【００４０】
なお、第２スリップリング６２を挿通した電気リード線２２の中間部は回転体支持シャフト２０に形成された孔（図示せず）から回転体支持シャフト２０の長手方向に向かって形成された空洞部を通過して前記第１スリップリング２４を挿通するようになっている。
【００４１】
図１及び図３に示されるように、前記発電機第１支持片３４と発電機第２支持片３６との間には前記発電機４８Ａ，４８Ｂ，４８Ｃ，４８Ｄとセットになってギヤ装置６４がそれぞれ設けられている。
【００４２】
図１及び図３に示されるように、このギヤ装置６４のギヤシャフト６６の一端部は前記発電機第１支持片３４に固定された軸受ユニット５４に支持されている。また、前記ギヤシャフト６６の他端部は前記発電機第２支持片３６に設けられたギヤシャフト支持体６８に支持されている。
【００４３】
なお、前記ギヤシャフト支持体６８は前記回転円盤部５０が回転しても回転円盤部５０と当接しないように設けられている。
【００４４】
前記ギヤシャフト６６の中間部にはギヤシャフト第１歯車としてのギヤシャフト大歯車７０とギヤシャフト第２歯車としてのギヤシャフト小歯車７２が取り付けられている。
このギヤシャフト大歯車７０は前記発電機小歯車５６と噛み合い、ギヤシャフト小歯車７２は前記発電機大歯車５８と噛み合っている。
【００４５】
図１、図３、図７に示されるように、前記回転体支持シャフト２０の一側部にはスプロケット取付パイプ７４が前記回転体支持シャフト２０に外装されて設けられている。
【００４６】
前記回転体支持シャフト２０とスプロケット取付パイプ７４との間にはベアリング（図示せず）が配設されている。
このため前記スプロケット取付パイプ７４は回転体支持シャフト２０とフリーの関係となり、スプロケット取付パイプ７４は回転体支持シャフト２０と関係なく回転可能となっている。
【００４７】
前記スプロケット取付パイプ７４には伝動スプロケットとしての伝動第１スプロケット７６と伝動第２スプロケット７８が並んで固定された状態で取り付けられている。
【００４８】
図６に示されるように、前記発電機４８Ａの発電機スプロケット６０Ａと前記発電機４８Ｂの発電機スプロケット６０Ａには伝動第１チェーン８０Ａが掛け回されている。
【００４９】
前記発電機４８Ｂの発電機スプロケット６０Ｂと伝動第１スプロケット７６には伝動第２チェーン８０Ｂが掛け回されている。
【００５０】
前記発電機４８Ｃの発電機スプロケット６０Ａと前記発電機４８Ｄの発電機スプロケット６０Ａには伝動第３チェーン８０Ｃが掛け回されている。
【００５１】
前記発電機４８Ｄの発電機スプロケット６０Ｂと前記伝動第２スプロケット７８には伝動第４チェーン８０Ｄが掛け回されている。
【００５２】
図１、図３、図７に示されるように、前記スプロケット取付パイプ７４の一端部には反作用回転スプロケット８２が固定された状態で取り付けられている。
このため、反作用回転スプロケット８２は前記スプロケット取付パイプ７４と一緒に回転するようになっている。
【００５３】
図１及び図３に示されるように、前記回転体支持シャフト２０の他側部には始動用スプロケット８４が外装された状態で固定されている。
従って、この始動用スプロケット８４は回転体支持シャフト２０と一緒に回転するようになっている。
【００５４】
前記ベースプレート１１の一端部で前記回転体第１支持フレーム１４の内側には増速機８６が載置固定されている。この増速機８６は公知の増速機であり、回転軸の回転数を増加させることができる装置である。
前記増速機８６には増速機第１スプロケット８６Ａと増速機第２スプロケット８６Ｂが、それぞれ回転可能に設けられている。
【００５５】
この増速機第１スプロケット８６Ａと前記反作用回転スプロケット８２には反作用回転チェーン８８が掛け回されている。
【００５６】
図２に示されるように、前記ベースプレート１１の一端部で前記回転体第１支持フレーム１４の外側には反作用利用発電機９０が載置固定されている。この反作用利用発電機９０は名称に「反作用利用」と付されているが、その構成は公知の発電機と同一の構成の発電機であり、反作用利用発電機９０の発電機シャフト（図示せず）が回転することにより発電するようになっている。
【００５７】
図６に示されるように、前記反作用利用発電機９０には負荷手段としての電力消費装置８９が接続されている。この実施例では電力消費装置８９として照明器具、家電が用いられている。
なお、この実施例における電力消費装置８９の消費電力量は、電力消費装置８９の照明器具、家電を使用すると反作用利用発電機９０に負荷がかかり反作用利用発電機９０の発電機シャフトの回転速度が遅くなり発電機シャフトはゆっくり回転するようになるが、反作用利用発電機９０の発電機シャフトは回転を停止しない電力消費量に設定されている。
【００５８】
図２に示されるように、前記反作用利用発電機９０の回転シャフトに固定された反作用利用発電機スプロケット９０Ａと前記増速機第２スプロケット８６Ｂには反作用利用発電機用チェーン９１が掛け回されている。
【００５９】
図１に示されるように、前記ベースプレート１１の他端部で前記回転体第２支持フレーム１６の外側には始動装置としてのギャードモーター９２が載置固定されている。このギャードモーター９２は公知のギャードモーターである。
【００６０】
このギャードモーター９２のモータースプロケット９２Ａと前記始動用スプロケット８４には始動用チェーン９４が掛け回されている。
【００６１】
前記ギャードモーター９２は反作用利用型発電装置１０のコントロールボックス（図示せず）のモータースイッチ（図示せず）をオンすることにより回転するようになっている。
従って、ギャードモーター９２を回転させると始動用チェーン９４を介して始動用スプロケット８４が回転し、前記回転体支持シャフト２０と前記回転体２８が回転するようになっている。
【００６２】
次に、第１実施例の反作用利用型発電装置１０の作用について説明する。
【００６３】
反作用利用型発電装置１０のコントロールボックスのモータースイッチをオンしてギャードモーター９２が回転するとモータースプロケット９２Ａ、始動用チェーン９４、始動用スプロケット８４を介して回転体支持シャフト２０が回転する。
【００６４】
前記回転体支持シャフト２０が回転すると回転体取付パイプ２６に固定されている回転体２８が図２時計回り方向（図２矢印Ａ方向）に回転する。
【００６５】
前記回転体２８が図２時計回り方向に回転すると、発電機４８Ａ，４８Ｂ，４８Ｃ，４８Ｄも図２時計回り方向に回転し、発電機４８Ａ，４８Ｂ，４８Ｃ，４８Ｄの発電機シャフト５２に取り付けられている発電機大歯車５８も図２時計回り方向に回転する。
【００６６】
このため、発電機大歯車５８と噛み合っているギヤシャフト小歯車７２はギヤシャフト６６を中心にして発電機大歯車５８の外周面を回りながら回転することになるのでギヤシャフト６６に取り付けられているギヤシャフト大歯車７０も回転する。
このギヤシャフト大歯車７０が回転するとギヤシャフト大歯車７０と噛み合っている発電機小歯車５６が回転する。
発電機小歯車５６が回転すると、発電機小歯車５６と連結されている発電機４８Ａ，４８Ｂ，４８Ｃ，４８Ｄの回転円盤部５０が回転を開始する。
【００６７】
回転している回転体２８の前記発電機４８Ａの発電機スプロケット６０Ａと前記発電機４８Ｂの発電機スプロケット６０Ａには伝動第１チェーン８０Ａが掛け回されている。
前記発電機４８Ｂの発電機スプロケット６０Ｂと伝動第１スプロケット７６には伝動第２チェーン８０Ｂが掛け回されている。
前記発電機４８Ｃの発電機スプロケット６０Ａと前記発電機４８Ｄの発電機スプロケット６０Ａには伝動第３チェーン８０Ｃが掛け回されている。
前記発電機４８Ｄの発電機スプロケット６０Ｂと前記伝動第２スプロケット７８には伝動第４チェーン８０Ｄが掛け回されている。
【００６８】
このため、発電機４８Ａ，４８Ｂ，４８Ｃ，４８Ｄの発電機シャフト５２が回転しようとする回転力は伝動第２チェーン８０Ｂと伝動第４チェーン８０Ｄを介してスプロケット取付パイプ７４に作用する。
【００６９】
前記スプロケット取付パイプ７４には反作用回転スプロケット８２が固定され、反作用回転スプロケット８２は反作用回転チェーン８８を介して増速機第１スプロケット８６Ａと連結されている。
【００７０】
このため、前記反作用回転スプロケット８２には発電機４８Ａ，４８Ｂ，４８Ｃ，４８Ｄの発電機シャフト５２の回転しようとする反作用力が作用する。
前記反作用回転スプロケット８２に作用した反作用力は反作用回転チェーン８８、増速機８６、反作用利用発電機用チェーン９１、反作用利用発電機スプロケット９０Ａを介して反作用利用発電機９０の発電機シャフトが回転することにより反作用利用発電機９０が発電する。
【００７１】
ただし、前記反作用利用発電機９０には負荷手段としての照明や家電等の電力消費装置８９が接続されているため、反作用利用発電機９０には前記電力消費装置８９の消費電力によって負荷がかかり、反作用利用発電機９０の発電機シャフトと反作用利用発電機スプロケット９０Ａの回転力が低下する。
【００７２】
このため、反作用回転スプロケット８２、スプロケット取付パイプ７４は回転を停止しないでゆっくりと回転することになるため、前記発電機４８Ａ，４８Ｂ，４８Ｃ，４８Ｄの発電機シャフト５２もゆっくり回転する。
【００７３】
これにより前記発電機シャフト５２はゆっくり回転する一方、回転円盤部５０は発電機シャフト５２を中心に高速回転するため発電機４８Ａ，４８Ｂ，４８Ｃ，４８Ｄはそれぞれ発電する。
【００７４】
この結果、反作用利用型発電装置１０においては４個の発電機４８Ａ，４８Ｂ，４８Ｃ，４８Ｄと反作用利用型発電機９０はそれぞれ発電することになる。
この結果、反作用利用型発電装置１０は発電量を多くすることができると共に発電効率を高めることができる。
【００７５】
図８〜図１０には第２実施例の反作用利用型発電装置１００が示されている。なお、第１実施例の反作用利用型発電装置１０と同一の構成は同一の符号を用いてその説明を省略する。
【００７６】
また、図８においては第２の発電装置本体１１２Ｂは第１の発電装置本体１１２Ａの背面に位置して第１の発電装置本体１１２Ａと第２の発電装置本体１１２Ｂは重なり合うので第２の発電装置本体１１２Ｂの大部分を省略して示す。
【００７７】
第２実施例の反作用利用型発電装置１００と第１実施例の反作用利用型発電装置１０の相違点は、第１実施例の反作用利用型発電装置１０では発電装置本体が１つ設けられているのに対し、第２実施例の反作用利用型発電装置１００では発電装置本体が２つ設けられている点である。
【００７８】
図８〜図１０に示されるように、第２実施例の反作用利用型発電装置１００の下部には平面視長方形状のベースプレート１１１が配設されている。
【００７９】
図９及び図１０に示されるように、このベースプレート１１１に設置された第１の発電装置本体１１２Ａの隣には第１の発電装置本体１１２Ａと水平方向に反転した状態で第２の発電装置本体１１２Ｂが設置されている。
なお、第１の発電装置本体１１２Ａと第２の発電装置本体１１２Ｂは第１実施例の反作用利用型発電装置１０に用いられた発電装置本体１２と同一の構造である。
【００８０】
第１の発電装置本体１１２Ａと第２の発電装置本体１１２Ｂは水平方向に反転して設けられているので、図９に示されるように、第１の発電装置本体１１２Ａでは回転体第１リング板４０が図９に表れるのに対し、第２の発電地装置本体１１２Ｂでは回転体第１リング板４０と対向して設けられた回転体第２リング板４２が図９に表れるようになっている。
【００８１】
図９及び図１０に示されるように、前記ベースプレート１１１の一端部にはベースプレート１１１に対応して横長の回転体第１支持フレーム１１４が立設され、他端部にはベースプレート１１１に対応して横長の回転体第２支持フレーム１１６が立設されている。
この回転体第１支持フレーム１１４と回転体第２支持フレーム１１６は互いに対向して立設されている。
【００８２】
図１０に示されるように、前記第１の発電装置本体１１２Ａと前記第２の発電装置本体１１２Ｂの間には増速機８６と第２増速機１８６が対向して配設されている。この第２増速機１８６は前記増速機８６と同一の構成である。
【００８３】
また、反作用利用発電機９０は前記第２の発電装置本体１１２Ｂの近傍に配設されている。この反作用利用発電機９０には負荷手段としての電力消費装置８９が接続されている。
【００８４】
図９に示されるように、前記増速機８６の増速機第２スプロケット８６Ｂと第２の発電装置本体１１２Ｂの始動用スプロケット８４には接続用始動手段としての第２始動用チェーン１９４が掛け回されている。
【００８５】
図１０に示されるように、第２の発電装置本体１１２Ｂの反作用回転スプロケット８２と第２増速機１８６の増速機第１スプロケット１８６Ａには第２反作用回転チェーン１８８が掛け回されている。
【００８６】
また、前記反作用利用発電機９０の反作用利用発電機スプロケット９０Ａと前記第２増速機１８６の第２スプロケット１８６Ｂには反作用利用発電機用チェーン１９１が掛け回されている。
【００８７】
次に、第２実施例の反作用利用型発電装置１００の作用について説明する。なお、第１実施例の反作用利用型発電装置１０の作用と同じ作用は省略する。
【００８８】
反作用利用型発電装置１００のコントロールボックスのモータースイッチをオンして第１の発電装置本体１１２Ａの回転体２８が回転すると、その後に反作用回転スプロケット８２が回転する。
【００８９】
反作用回転スプロケット８２の回転により、反作用回転チェーン８８、増速機第１スプロケット８６Ａ、増速機第２スプロケット８６Ｂを介して第２の発電装置本体１１２Ｂの第２始動用チェーン１９４が回転し、第２の発電装置本体１１２Ｂの始動用スプロケット８４が回転し、第２の発電装置本体１１２Ｂの回転体２８が回転する。
【００９０】
このため第１の発電装置本体１１２Ａと同様に第２の発電装置本体１１２Ｂの反作用回転スプロケット８２が回転し、反作用回転チェーン１８８、増速機第１スプロケット１８６Ａ、増速機第２スプロケット１８６Ｂを介して反作用利用発電機用チェーン１９１が回転することにより反作用利用発電機９０が発電する。
なお、前記反作用利用発電機９０には負荷手段としての照明や家電等の電力消費装置８９が接続されているため、反作用利用発電機９０には前記電力消費装置８９の消費電力によって負荷がかかり、反作用利用発電機９０の発電機シャフトと反作用利用発電機スプロケット９０Ａの回転力が低下する。
このため、第２の発電装置本体１１２Ｂの反作用回転スプロケット８２、スプロケット取付パイプ７４は回転を停止しないでゆっくりと回転することになるため、第２の発電装置本体１１２Ｂの前記発電機４８Ａ，４８Ｂ，４８Ｃ，４８Ｄの発電機シャフト５２もゆっくり回転する一方、回転円盤部５０は発電機シャフト５２を中心に高速回転するため発電機４８Ａ，４８Ｂ，４８Ｃ，４８Ｄはそれぞれ発電する。
同様に第１の発電装置本体１１２Ａの反作用回転スプロケット８２、スプロケット取付パイプ７４も回転を停止しないでゆっくりと回転することになるため、第１の発電装置本体１１２Ａの発電機４８Ａ，４８Ｂ，４８Ｃ，４８Ｄの発電機シャフト５２もゆっくり回転する一方、回転円盤部５０は発電機シャフト５２を中心に高速回転するため発電機４８Ａ，４８Ｂ，４８Ｃ，４８Ｄはそれぞれ発電する。
【００９１】
この結果、第２実施例の反作用利用型発電装置１００においては第１の発電装置本体１１２Ａの発電機４８Ａ，４８Ｂ，４８Ｃ，４８Ｄと第２の発電装置本体１１２Ｂの発電機４８Ａ，４８Ｂ，４８Ｃ，４８Ｄと反作用利用型発電機９０がそれぞれ発電するため、反作用利用型発電装置１００の発電量を多くすることができると共に発電効率を極めて高くすることができる。
【００９２】
なお、第２実施例の反作用利用型発電装置１００では第１の発電装置本体１１２Ａと第２の発電装置本体１１２Ｂの２つの発電装置本体を設けた場合を示したが、発電装置本体は３つ以上設けてもよいことは勿論である。
【００９３】
なお、他の構成及び作用は、第１実施例の反作用利用型発電装置１０の構成及び作用と同一であるのでその説明は省略する。
【００９４】
図１１〜図１３には第３実施例の反作用利用型発電装置２００が示されている。なお、第１実施例の反作用利用型発電装置１０と同一の構成は、同一の符号を用いてその説明を省略する。
【００９５】
第３実施例の反作用利用型発電装置２００と第１実施例の反作用利用型発電装置１０を対比すると第１実施例の反作用利用型発電装置１０では増速機８６と反作用利用発電機９０が設けられているのに対し、第３実施例の反作用利用型発電装置２００では増速機８６と反作用利用発電機９０が設けられていない点が大きく相違する。
【００９６】
図１１〜図１３に示されるように、第３実施例の反作用利用型発電装置２００の発電装置本体２０２の回転体２８を構成する回転体第１リング板４０の外周面には側面視リング状で巾広の第１リング板カバー体２０４が巻かれた状態で取り付けられている。
また、前記回転体２８を構成する回転体第２リング板４２の外周面にも側面視リング状で巾広の第２リング板カバー体２０６が巻かれた状態で取り付けられている。
なお、図１１及び図１３においては、回転体第１リング板４０、第１リング板カバー体２０４、回転体第２リング板４２、第２リング板カバー体２０６は断面した状態で示されている。
【００９７】
前記第１リング板カバー体２０４と第２リング板カバー体２０６は比較的肉厚の薄い帯状金属板をリング状にして形成されている。
【００９８】
前記反作用利用型発電装置２００のベースプレート１１には回転方向反転機２０８が載置されている。この回転方向反転機２０８は公知の回転方向反転機である。
前記回転方向反転機２０８には回転方向反転機第１スプロケット２０８Ａと回転方向反転機第２スプロケット２０８Ｂが回転可能に設けられているが、回転方向反転機第１スプロケット２０８Ａと回転方向反転機第２スプロケット２０８Ｂは反対方向に回転するようになっている。
【００９９】
図１１及び図１２に示されるように、前記回転方向反転機第１スプロケット２０８Ａと前記反作用回転スプロケット８２には反作用回転チェーン８８が掛け回されている。
【０１００】
図１１〜図１３に示されるように、前記回転体第１支持フレーム１４の第１支持フレーム第１支柱１４Ｂと前記回転体第２支持フレーム１６の第２支持フレーム第１支柱１６Ｂは回転サポート体支持シャフト２１０が回転可能に支持されている。
【０１０１】
この回転サポート体支持シャフト２１０の中間部には回転サポート体としての第１回転サポートゴムタイヤ２１２と第２回転サポートゴムタイヤ２１４が固定された状態で取り付けられている。
【０１０２】
前記第１回転サポートゴムタイヤ２１２は前記第１リング板カバー体２０４と対応すると共に第１回転サポートゴムタイヤ２１２の外周面と第１リング板カバー体２０４の外周面は当接している（図１２参照）。
また、前記第２回転サポートゴムタイヤ２１４は前記第２リング板カバー体２０６と対応すると共に第２回転サポートゴムタイヤ２１４の外周面と第２リング板カバー体２０６の外周面は当接している。
【０１０３】
図１１に示されるように、この実施例では前記第１回転サポートゴムタイヤ２１２、第２回転サポートゴムタイヤ２１４の幅は前記第１リング板カバー体２０４、第２リング板カバー体２０６の幅より少し幅広に構成されている。
【０１０４】
前記回転サポート体支持シャフト２１０の一端部で前記回転体第１支持フレーム１４の第１支持フレーム第１支柱１４Ｂの外側には回転サポート体支持シャフト用スプロケット２１６が固定された状態で取り付けられている。
【０１０５】
この回転サポート体支持シャフト用スプロケット２１６と前記回転方向反転機第２スプロケット２０８Ｂは反作用回転チェーン２２０が掛け回されている。
【０１０６】
次に、第３実施例の反作用利用型発電装置２００の作用について説明する。なお、第１実施例の反作用利用型発電装置１０の作用と同じ作用は省略する。
【０１０７】
反作用利用型発電装置２００のコントロールボックスのモータースイッチをオンしてギャードモーター９２が回転すると発電装置本体２０２の回転体２８が回転し、その後に反作用回転スプロケット８２が回転する。
【０１０８】
反作用回転スプロケット８２の回転により反作用回転チェーン８８が図１２の矢印方向に回るため、回転方向反転機第１スプロケット２０８Ａが回転する。
一方、回転方向反転機第２スプロケット２０８Ｂは回転方向反転機第１スプロケット２０８Ａと逆方向に回転する。
【０１０９】
これにより、反作用回転チェーン２２０が図１２矢印方向に回るため回転サポート体支持シャフト用スプロケット２１６が回転し、回転サポート体支持シャフト２１０が回転し、第１回転サポートゴムタイヤ２１２と第２回転サポートゴムタイヤ２１４が図１２反時計回り方向（図１２矢印方向）に回転する。
【０１１０】
第１回転サポートゴムタイヤ２１２と第２回転サポートゴムタイヤ２１４の回転方向は前記回転体２８の回転方向（図１２矢印Ａ方向）と逆方向であるので、第１回転サポートゴムタイヤ２１２と第２回転サポートゴムタイヤ２１４と第１リング板カバー体２０４，第２リング板カバー体２０６を介して当接している回転体２８に回転力を付与することになる。
【０１１１】
この結果、回転体２８は反作用を利用した第１回転サポートゴムタイヤ２１２と第２回転サポートゴムタイヤ２１４によって回転をサポートしてもらうため、前記ギャードモーター９２の発電力を少なくしても反作用を利用することにより回転体２８を高速回転させて発電機４８Ａ，４８Ｂ，４８Ｃ，４８Ｄで発電することができる。
従って、反作用利用型発電装置２００は効率よく発電することができる。
【０１１２】
なお、実施例では回転サポート体として第１回転サポートゴムタイヤ２１２と第２回転サポートゴムタイヤ２１４を示したが、回転サポート体はゴムタイヤに限定されるものでなく回転体２８の回転をサポートできるものであれば円板体等でもよい。
【０１１３】
なお、他の構成及び作用は、第１実施例の反作用利用型発電装置１０の構成及び作用と同一であるのでその説明は省略する。
【０１１４】
なお、実施例では前記ギヤシャフト大歯車７０と前記発電機小歯車５６のギヤ比と前記ギヤシャフト小歯車７２と前記発電機大歯車５８のギヤ比は３：１としたが、ギヤ比は３：１に限定されるものでないことは勿論である。
【０１１５】
なお、実施例では回転体２８に発電機４８Ａ，４８Ｂ，４８Ｃ，４８Ｄとギヤ装置６４をセットで４個取り付けた場合を示したが、取り付ける発電機４８Ａ，４８Ｂ，４８Ｃ，４８Ｄ、ギヤ装置６４の数は４個以上でも４個以下でもよく、４個に限定されるものでないことは勿論である。
【０１１６】
なお、実施例では発電機４８Ａの発電機スプロケット６０Ａと発電機４８Ｂの発電機スプロケット６０Ａには伝動第１チェーン８０Ａを掛け回し、発電機４８Ｂの発電機スプロケット６０Ｂと伝動第１スプロケット７６には伝動第２チェーン８０Ｂを掛け回し、発電機４８Ｃの発電機スプロケット６０Ａと発電機４８Ｄの発電機スプロケット６０Ａには伝動第３チェーン８０Ｃを掛け回し、発電機４８Ｄの発電機スプロケット６０Ｂと伝動第２スプロケット７８には伝動第４チェーン８０Ｄを掛け回したが、掛け回しのパターンは実施例のパターンに限定されるものでないことは勿論である。
【０１１７】
なお、実施例では発電機４８Ａ，４８Ｂ，４８Ｃ，４８Ｄをアウターローターコアレス発電機で使用したが、発電機４８Ａ，４８Ｂ，４８Ｃ，４８Ｄはアウターローターコアレス発電機に限定されるものでなく、インナーローター発電機でもよい。
例えば、磁石を回転子（ローター）にして内側に設け、巻線を固定子（ステータ）にして外側に設けて発電するインナーローター発電機を使用してもよい。
発電機をインナーローター発電機にした場合は、インナーローター発電機の固定子を回転させないようにすると共にギヤ装置６４のギヤシャフト大歯車７０でインナーローター発電機の回転子を回転させてインナーローター発電機で発電する。
【０１１８】
なお、実施例では始動装置としてのギャードモーター９２を使用した場合を示したが、始動装置はギャードモーター９２等のモーターに限定されるものでなく、回転体支持シャフト２０を回転させることができる装置であれば内燃機関、蒸気機関、火力発電機、風力発電機等の装置でもよいことは勿論である。
【０１１９】
なお、第１実施例、第２実施例では反作用利用発電機９０に接続する負荷手段としての電力消費装置８９として照明器具、家電等を示したが、負荷手段は照明器具、家電等の電力消費装置に限定されるものではなく例えば畜電池等他の装置でもよいことは勿論である。
【符号の説明】
【０１２０】
１０    反作用利用型発電装置
１１    ベースプレート
１２    発電装置本体
１４    回転体第１支持フレーム
１６    回転体第２支持フレーム
１８    ピローユニット
２０    回転体支持シャフト
２２    電気リード線
２４    第１スリップリング
２６    回転体取付パイプ
２８    回転体
３０    回転体第１固定板
３２    回転体第２固定板
３４    発電機第１支持片
３６    発電機第２支持片
４０    回転体第１リング板
４２    回転体第２リング板
４４    間隔保持棒
４６Ａ  第１発電機配設部
４６Ｂ  第２発電機配設部
４６Ｃ  第３発電機配設部
４６Ｄ  第４発電機配設部
４８Ａ  発電機
４８Ｂ  発電機
４８Ｃ  発電機
４８Ｄ  発電機
４９    電力消費装置
５０    回転円盤部
５２    発電機シャフト
５４    軸受ユニット
５６    発電機小歯車
５８    発電機大歯車
６０Ａ  第１発電機スプロケット
６０Ｂ  第２発電機スプロケット
６２    第２スリップリング
６４    ギヤ装置
６６    ギヤシャフト
６８    ギヤシャフト支持体
７０    ギヤシャフト大歯車
７２    ギヤシャフト小歯車
７４    スプロケット取付パイプ
７６    伝動第１スプロケット
７８    伝動第２スプロケット
８０Ａ  伝動第１チェーン
８０Ｂ  伝動第２チェーン
８０Ｃ  伝動第３チェーン
８０Ｄ  伝動第４チェーン
８２    反作用回転スプロケット
８４    始動用スプロケット
８６    増速機
８６Ａ  増速機第１スプロケット
８６Ｂ  増速機第２スプロケット
８８    反作用回転チェーン
９０    反作用利用発電機
９０Ａ  反作用利用発電機スプロケット
９１    反作用利用発電機用チェーン
９２    ギャードモーター
９２Ａ  モータースプロケット
９４    始動用チェーン
【図１】
2020010530.tif 000003
【図２】
2020010530.tif 000004
【図３】
2020010530.tif 000005
【図４】
2020010530.tif 000006
【図５】
2020010530.tif 000007
【図６】
2020010530.tif 000008
【図７】
2020010530.tif 000009
【図８】
2020010530.tif 000010
【図９】
2020010530.tif 000011
【図１０】
2020010530.tif 000012
【図１１】
2020010530.tif 000013
【図１２】
2020010530.tif 000014
【図１３】
2020010530.tif 000015